(57)【要約】【課題】外気温度、補助バッテリーの充電状態、電装負荷の消耗量を考慮すると共に、ＤＣ−ＤＣコンバータの電力変換制御に従って１２Ｖ補助バッテリーの充電が容易に行われるようにしたハイブリッド車両用１２Ｖ補助バッテリーの充電電圧の制御方法を提供する。【解決手段】ハイブリッド車両用１２Ｖ補助バッテリーの充電電圧の制御方法において、始動をオンにした後、外気温度と境界温度を比較する段階と、外気温度が境界温度以下の場合、１２Ｖ補助バッテリーの電圧を測定する段階と、１２Ｖ補助バッテリーの電圧が所定の基準電圧範囲を逸脱すると、ＤＣ−ＤＣコンバータが出力電圧を上昇させる強充電モードで作動する段階と、を通して、１２Ｖ補助バッテリーに対する充電が行われるようにすることを特徴とする。【選択図】図２
2011116330.tif 000002
【特許請求の範囲】
【請求項１】
始動オンが進められた後、外気温度と境界温度を比較する段階と、
外気温度が境界温度以下の場合、１２Ｖ補助バッテリーの電圧を測定する段階と、
前記１２Ｖ補助バッテリーの電圧が所定の基準電圧範囲を逸脱すると、ＤＣ−ＤＣコンバータが出力電圧を上昇させる強充電モードで作動する段階と、
を通して、前記１２Ｖ補助バッテリーに対する充電が行われるようにすることを特徴とするハイブリッド車両用１２Ｖ補助バッテリーの充電電圧の制御方法。
【請求項２】
前記１２Ｖ補助バッテリーの電圧が所定の基準電圧以下の場合、前記ＤＣ−ＤＣコンバータが出力電圧を大幅に上昇させる強充電モードで作動することを特徴とする請求項１に記載のハイブリッド車両用１２Ｖ補助バッテリーの充電電圧の制御方法。
【請求項３】
前記１２Ｖ補助バッテリーの電圧が所定の基準電圧以上の場合、前記ＤＣ−ＤＣコンバータが出力電圧を小幅に上昇させる弱充電モードで作動することを特徴とする請求項１に記載のハイブリッド車両用１２Ｖ補助バッテリーの充電電圧の制御方法。
【請求項４】
外気温度が境界温度以上の場合、前記ＤＣ−ＤＣコンバータを一般的な運転モードで作動させることを特徴とする請求項１に記載のハイブリッド車両用１２Ｖ補助バッテリーの充電電圧の制御方法。
【請求項５】
前記１２Ｖ補助バッテリーの充電または放電電流を測定して、充電または放電電流の絶対値の累積値が境界値以上となると、前記ＤＣ−ＤＣコンバータを一般的な運転モードで作動させ、境界値以下ならば、前記ＤＣ−ＤＣコンバータがその出力電圧を大幅または小幅に上昇させるモードで継続して作動するようにする段階を更に含むことを特徴とする請求項１に記載のハイブリッド車両用１２Ｖ補助バッテリーの充電電圧の制御方法。
【請求項６】
始動オンが進められた後、現在の１２Ｖ電装負荷量を基準負荷値と比較する段階と、
比較の結果、１２Ｖ電装負荷量が基準負荷値より小さいとき、ＤＣ−ＤＣコンバータの出力電圧を上昇させて１２Ｖ補助バッテリーに充電性能向上モードで充填が進められる段階と、
１２Ｖ電装負荷量が基準負荷値より大きいとき、前記１２Ｖ補助バッテリーの充電状態を確認する段階と、
前記１２Ｖ補助バッテリーの充電状態が充電境界値以下の場合、前記１２Ｖ補助バッテリーに充電性能向上モードで充填する段階と、
を通して、前記１２Ｖ補助バッテリーに対する充電が行われるようにすることを特徴とするハイブリッド車両用１２Ｖ補助バッテリーの充電電圧の制御方法。
【請求項７】
前記１２Ｖ補助バッテリーの充電状態が充電境界値以上の場合、前記ＤＣ−ＤＣコンバータの出力電圧を下降させて前記ＤＣ−ＤＣコンバータの出力電圧を節約する燃費向上モードに進入する段階を更に含むことを特徴とする請求項６に記載のハイブリッド車両用１２Ｖ補助バッテリーの充電電圧の制御方法。
【請求項８】
始動オンが行なわれた後、１２Ｖ補助バッテリーの電圧を高電圧バッテリーとＤＣ−ＤＣコンバータ間を連結するメインスイッチ及び各種制御装置の動作のための下限電圧と比較する段階と、
前記１２Ｖ補助バッテリーの電圧が下限電圧以下である場合、前記ＤＣ−ＤＣコンバータの逆方向への電力変換が行われる段階と、
前記１２Ｖ補助バッテリーで高電圧側のコンデンサにエネルギーが伝達されて、前記高電圧側のコンデンサにエネルギーが充電される段階と、
前記ＤＣ−ＤＣコンバータの正方向への電力変換が所定の時間行われる段階と、
前記高電圧側のコンデンサの高電圧エネルギーが前記ＤＣ−ＤＣコンバータを通して前記１２Ｖ補助バッテリーに供給される段階と、
を通して、前記１２Ｖ補助バッテリーに対する充電が行われるようにすることを特徴とするハイブリッド車両用１２Ｖ補助バッテリーの充電電圧の制御方法。
【請求項９】
前記高電圧側のコンデンサの高電圧エネルギーの供給を受けた前記１２Ｖ補助バッテリーから下限電圧以上の電圧が各種制御装置及び前記メインスイッチに印加されて、前記メインスイッチがオンとなる段階と、
前記ＤＣ−ＤＣコンバータは前記メインスイッチのオンにより高電圧バッテリーを電源として前記ＤＣ−ＤＣコンバータが一般的な運転モードで作動する段階と、
を更に含むことを特徴とする請求項８に記載のハイブリッド車両用１２Ｖ補助バッテリーの充電電圧の制御方法。
【発明の詳細な説明】
【技術分野】
【０００１】
本発明はハイブリッド車両用１２Ｖ補助バッテリーの充電電圧の制御方法に係り、更に詳しくは、外気温度、補助バッテリーの充電状態、電装負荷の消耗量を考慮すると共に、ＤＣ−ＤＣコンバータの電力変換制御に従って１２Ｖ補助バッテリーの充電が容易に行われるようにしたハイブリッド車両用１２Ｖ補助バッテリーの充電電圧の制御方法に関する。
【背景技術】
【０００２】
ハイブリッド車両とはガソリンエンジンだけでなくモータ駆動源を補助動力源として採択して、排気ガスの低減及び燃費の向上を図ることができる未来型車両を言う。
ハイブリッド車両は、エンジンが非効率的な走行環境であるとき、バッテリーの充放電によるモータの駆動を通してシステムの効率性を高めることができ（ｌｏａｄ  ｌｅｖｅｌｉｎｇ）、また減速時には、ブレーキから摩擦熱として放出される運動エネルギーをモータの発電により電気に転換する回生制動を通してバッテリー充電が行われて燃費を向上させることができる。
【０００３】
このようなハイブリッド車両は、動力伝達系統上、モータの連結及び駆動可否によってソフトタイプとハードタイプに分けられる。
既存のハードタイプのハイブリッド車両のモータ駆動のためのシステム構成を図５に示した。図５に示すとおり、車両走行のためのモータＭ１、Ｍ２と、モータを駆動制御するインバータ１０、１２と、モータ駆動のための直流電圧をインバータに印加する直流電源用高電圧バッテリー２と、バッテリー２から直流電圧をインバータ１０、１２にて昇圧させて供給すると同時に、インバータ１０、１２からの直流電圧をバッテリー２側に減圧して供給する電圧コンバータ１４と、バッテリー２と連結されて直流電源の電圧を変換する直流変換装置であるＤＣ−ＤＣコンバータ１などを含めて構成されている。
【０００４】
更に、ハイブリッド車両の１２Ｖ補助バッテリーの充電及び電装負荷に対する電源供給システムの構成を図１に示した。図１に示すとおり、高電圧バッテリー２とＤＣ−ＤＣコンバータ１がメインスイッチ３を通して連結されており、ＤＣ−ＤＣコンバータ１の出力端に１２Ｖ補助バッテリー８および１２Ｖ電装負荷（各種制御装置、ヘッドランプ、ウォーターランプ、ラジエータの冷却ファンなど）４が連結されており、このとき電装負荷４は１２Ｖ補助バッテリー８の電源を使用するように連結されている。（例えば、特許文献１、２参照）
このとき、ＤＣ−ＤＣコンバータ１と電装負荷４との間であり、１２Ｖ補助バッテリー８と電装負荷４との間には接続箱６が連結されており、ＤＣ−ＤＣコンバータ１と１２Ｖ補助バッテリー８との間及び１２Ｖ補助バッテリーと接続箱６との間には補助バッテリー側の配線（寄生）抵抗７が配列され、電装負荷４と接続箱６との間には配線（寄生）抵抗５が配列されている。
【０００５】
図１で、ＶＤＣはＤＣ−ＤＣコンバータ１の出力電圧、ＶJは接続箱６の電圧であり、電装負荷の電流が小さい場合、電装負荷に印加される電圧、ＶＢは１２Ｖ補助バッテリー８の充電電圧を各々表し、一般的に電圧サイズはＶＤＣ＞ＶJ≫ＶＢの順に表される。
このようなハイブリッド車両の始動シーケンスを見ると、運転者ＩＧのオン段階と、補助バッテリー８の電源を利用して各種制御装置及びメインスイッチ３がオンとなる段階（メインスイッチのオン以前までＤＣ−ＤＣコンバータは未作動）と、始動完了後、ＤＣ−ＤＣコンバータ１が動作して補助バッテリー８に対する充電及び電装負荷４に対する電源を供給する段階とからなる。
【０００６】
前記のような構成及び動作をするハイブリッド（燃料電池、プラグインハイブリッド、電気自動車を含む）車両において、ＤＣ−ＤＣコンバータの電圧を低く維持すると、電装負荷が消耗する電力が少なくなり燃費が増加するが、補助バッテリーの充電エネルギー量が少なくなり充電性能が低下するため、低温始動時に車両の始動不良をもたらし得る。
より詳しくは、ハイブリッド車両の構成中、ＤＣ−ＤＣコンバータは１２Ｖまたは２４Ｖ用補助バッテリーの充電機能と車両の電装負荷の電源供給機能を行う。燃費の向上のために電装負荷の供給電圧を可及的低く維持しなければならず、一方、補助バッテリーの充電性能面ではある程度の範囲内では充電電圧が高くなるほど有利である。補助バッテリーに対する充電状態が悪い場合は、低温始動時に補助バッテリーの電圧低下により始動がかからない状況が発生し得るため、車両の商品性を低下させる原因となる。特に図１に示すように、ＤＣ−ＤＣコンバータ１と電装負荷４間の連結距離が短く、ＤＣ−ＤＣコンバータ１と補助バッテリー８間の連結距離が長い場合、ＤＣ−ＤＣコンバータ１の出力電圧の範囲が広がりながら電力変換効率が減少するという問題が更に発生する。
【０００７】
そこで、ＤＣ−ＤＣコンバータと補助バッテリー間のパワーケーブルの直径を増大させてケーブルの抵抗を最小化させる方法があるが、これは車両の重量上昇、原価上昇、ケーブルライティングの自由度の低下などの問題点をもたらす。また、部品の設置位置を調節する方式としてＤＣ−ＤＣコンバータと補助バッテリーを近くに配置すると同時に、ＤＣ−ＤＣコンバータと電装負荷を遠くに配置する方法があるが、これは車両のパッケージとＤＣ−ＤＣコンバータの冷却方式など様々な制約事項により車両の設計及び商品性の低下をもたらす。
一方、前述したとおり、始動完了後、ＤＣ−ＤＣコンバータ１が動作して補助バッテリー８に対する充電及び電装負荷４に対する電源を供給するが、このとき補助バッテリーの電源が９Ｖ以下の場合、メインスイッチ３がオンとならない（反面、各種制御装置は６Ｖ以上で基本動作を維持）現象が発生し、これによってＤＣ−ＤＣコンバータと高電圧バッテリーが連結されないため、補助バッテリーに対する充電が行われないという問題点があり、特に低温始動時に補助バッテリーの電圧が更に低くなる傾向がある。
【先行技術文献】
【特許文献】
【０００８】
【特許文献１】特表２００２−２４７７１１号公報
【特許文献２】特開２００８−１４８５４１号公報
【発明の開示】
【発明が解決しようとする課題】
【０００９】
本発明は、上述した問題点を解決するためになされたものであって、その目的は、補助バッテリーの充電性能の低下をもたらす低温始動を考慮して、外気温度が低いときＤＣ−ＤＣコンバータの出力電圧を高く制御して補助バッテリーに対する充電性能を向上させることができるようにしたハイブリッド車両用１２Ｖ補助バッテリーの充電電圧の制御方法を提供することにある。
本発明の別の目的は、補助バッテリーの充電状態によってＤＣ−ＤＣコンバータの出力電圧を高くまたは低く制御し、電装負荷が少なくかかっている場合、ＤＣ−ＤＣコンバータの出力電圧を高く制御して補助バッテリーに対する充電性能を向上させることができるようにすることである。
本発明のまた別の目的は、高電圧バッテリーとＤＣ−ＤＣコンバータ間に設置されるメインスイッチを補助バッテリーが９Ｖ以下に落ちた場合もＤＣ−ＤＣコンバータの逆方向への電力変換動作に依拠してメインスイッチをオンにして、ＤＣ−ＤＣコンバータで補助バッテリーに充電のための持続的な電源が供給されるようにすることである。
【課題を解決するための手段】
【００１０】
前記目的を達成するための本発明のハイブリッド車両用１２Ｖ補助バッテリーの充電電圧の制御方法は、始動をオン（ＩＧ  ＯＮ）にした後、外気温度と境界温度を比較する段階と、外気温度が境界温度以下の場合、１２Ｖ補助バッテリーの電圧を測定する段階と、１２Ｖ補助バッテリーの電圧が所定の基準電圧以下の場合、ＤＣ−ＤＣコンバータが出力電圧を大幅に上昇させる強充電モードで作動する段階と、１２Ｖ補助バッテリーの電圧が所定の基準電圧以上の場合、ＤＣ−ＤＣコンバータが出力電圧を小幅に上昇させる弱充電モードで作動する段階と、を通して、１２Ｖ補助バッテリーに対する充電が行われるようにすることを特徴とする。
【００１１】
更に、本発明のハイブリッド車両用１２Ｖ補助バッテリーの充電電圧の制御方法は、始動をオン（ＩＧ  ＯＮ）にした後、現在の１２Ｖ電装負荷量を基準負荷値と比較する段階と、比較の結果、１２Ｖ電装負荷量が基準負荷値より小さいとき、ＤＣ−ＤＣコンバータの出力電圧を上昇させて１２Ｖ補助バッテリーに充電性能向上モードで充填が進められる段階と、１２Ｖ電装負荷量が基準負荷値より大きいとき、１２Ｖ補助バッテリーの充電状態を確認する段階と、１２Ｖ補助バッテリーの充電状態が充電境界値以下の場合、１２Ｖ補助バッテリーの充電性能向上モードで充填する段階と、を通して、１２Ｖ補助バッテリーに対する充電が行われるようにすることを特徴とする。
【００１２】
また、本発明のハイブリッド車両用１２Ｖ補助バッテリーの充電電圧の制御方法は、始動をオン（ＩＧ  ＯＮ）にした後、１２Ｖ補助バッテリーの電圧を高電圧バッテリーとＤＣ−ＤＣコンバータ間を連結するメインスイッチ及び各種制御装置の動作のための下限電圧と比較する段階と、１２Ｖ補助バッテリーの電圧が下限電圧以下である場合、ＤＣ−ＤＣコンバータの逆方向への電力変換が行われる段階と、１２Ｖ補助バッテリーで高電圧側のコンデンサにエネルギーが伝達されて、高電圧側のコンデンサにエネルギーが充電される段階と、ＤＣ−ＤＣコンバータの正方向への電力変換が所定の時間行われる段階と、高電圧側のコンデンサの高電圧エネルギーがＤＣ−ＤＣコンバータを通して１２Ｖ補助バッテリーに供給される段階と、を通して、１２Ｖ補助バッテリーに対する充電が行われるようにすることを特徴とする。
【発明の効果】
【００１３】
本発明のハイブリッド車両用１２Ｖ補助バッテリーの充電電圧の制御方法によると、第１に、外気温度が低いとき、ＤＣ−ＤＣコンバータの出力電圧を高く制御して１２Ｖ補助バッテリーに対する充電性能の向上及び低温始動性の改善を図ることができる。
第２に、１２Ｖ補助バッテリーの充電状態によってＤＣ−ＤＣコンバータの出力電圧を増加または減少させるが、１２Ｖ補助バッテリーの充電状態が良好の場合、ＤＣ−ＤＣコンバータの出力電圧を低く維持して燃費を向上させることができ、１２Ｖ補助バッテリーの充電状態が不良の場合、ＤＣ−ＤＣコンバータの出力電圧を高く維持して１２Ｖ補助バッテリーに対する充電性能の向上を図ることができる。
第３に、電装負荷のうち１２Ｖ補助バッテリーにかかっている電装負荷が少ない場合、ＤＣ−ＤＣコンバータの出力電圧を高く制御して１２Ｖ補助バッテリーの充電性能を向上させることができ、１２Ｖ補助バッテリーに電装負荷が多くかかっている場合は、ＤＣ−ＤＣコンバータの出力電圧を低く制御して燃費向上を図ることができる。
第４に、１２Ｖ補助バッテリーの電圧が９Ｖ以下に落ちた場合も、ＤＣ−ＤＣコンバータの逆方向への電力変換動作に依拠して高電圧バッテリーとＤＣ−ＤＣコンバータ間に設置されるメインスイッチをオンにして、ＤＣ−ＤＣコンバータが正常作動するようにして、１２Ｖ補助バッテリーの充電が持続的に行われるようになる。
【図面の簡単な説明】
【００１４】
【図１】ハイブリッド車両の１２Ｖ補助バッテリーの充電及び電装負荷に対する電源供給システムの構成を説明する構成図である。
【図２】本発明の一実施例によるハイブリッド車両用１２Ｖバッテリーの充電電圧の制御方法を説明する順序図である。
【図３】本発明の別の実施例によるハイブリッド車両用１２Ｖバッテリーの充電電圧の制御方法を説明する順序図である。
【図４】本発明のまた別の実施例によるハイブリッド車両用１２Ｖバッテリーの充電電圧の制御方法を説明する順序図である。
【図５】ハイブリッド車両用モータ駆動システムの構成を説明する構造図である。
【発明を実施するための形態】
【００１５】
以下、本発明の好ましい実施例について図面を参照して詳しく説明する。
図１に示すとおり、ハイブリッド車両の１２Ｖ補助バッテリーの充電及び電装負荷に対する電源供給システムの構成を見ると、高電圧バッテリー２とＤＣ−ＤＣコンバータ１がメインスイッチ３を通して連結されており、ＤＣ−ＤＣコンバータ１の出力端に１２Ｖ補助バッテリー８及び１２Ｖ電装負荷が連結されており、図５に示すように、ＤＣ−ＤＣコンバータ１の入力端側には電圧コンバータ１４及びＤＣリンクコンデンサ１６を媒介にモータＭ１，Ｍ２を駆動制御するインバータ１０，１２が連結されている。
本発明は上記のようなハイブリッド用１２Ｖ補助バッテリーの充電及び電装負荷に対する電源供給システムの構成を基板として、外気温度、補助バッテリーの充電状態、電装負荷の消耗量を考慮すると共に、ＤＣ−ＤＣコンバータの電力変換方向の制御によって１２Ｖ補助バッテリーに対する充電電圧の制御が容易に行われるようにした点に特徴がある。
【００１６】
ここで、本発明のハイブリッド車両用１２Ｖバッテリーの充電電圧の制御方法に対する一実施例を図２の順序図に沿って説明する。
本発明の一実施例は、補助バッテリーの電圧が低い温度で更に低くなる特性があり、これによって充電性能の低下による問題が低温始動時に発生するという点を解決しようとしたものであり、ＤＣ−ＤＣコンバータの動作時に車両の周辺温度が低い場合（例えば、０℃以下）、燃費の低下を感受し、ＤＣ−ＤＣコンバータの出力電圧を高く制御すると同時に、ＤＣ−ＤＣコンバータから補助バッテリーに供給される電圧を高めてやることで、１２Ｖ補助バッテリーに対する充電性能を向上させようとしたものである。
【００１７】
まず、始動スイッチをオンにした後、外気温度（Ｔｘ）が境界温度（Ｔｘ１）以下であるかを判断する段階が行われて、外気温度が境界温度以上の場合、ＤＣ−ＤＣコンバータを一般的な運転モードで正常作動させる。
一方、外気温度が境界温度以下（例えば、０℃以下）の場合には、ＤＣ−ＤＣコンバータの出力端の電圧または１２Ｖ補助バッテリーの電圧（Ｖｂ）を測定して、所定の基準電圧（Ｖ２）と比較をし、ＤＣ−ＤＣコンバータの出力端の電圧または１２Ｖ補助バッテリーの電圧（Ｖｂ）が所定の基準電圧（Ｖ２）以下の場合には、ＤＣ−ＤＣコンバータがその出力電圧を大幅に上昇させる強充電モードで作動されるようにし、他方、ＤＣ−ＤＣコンバータの出力端の電圧または１２Ｖ補助バッテリーの電圧（Ｖｂ）が所定の基準電圧（Ｖ２）以上の場合、ＤＣ−ＤＣコンバータがその出力電圧を小幅に上昇させる弱充電モードで作動されるようにする。
【００１８】
従って、外気温度が境界温度以下である場合、ＤＣ−ＤＣコンバータの出力電圧を高めることで、１２Ｖ補助バッテリーに対する充電が容易に行われるようになり、１２Ｖ補助バッテリーにおける充電状態が高くなれば、低温始動時に１２Ｖ補助バッテリーの電圧低下により始動がかからないという状況を回避することができる。
始動後、１２Ｖ補助バッテリーに対する充電または放電電流を測定して、充電または放電電流の絶対値の累積値（ＩＢ＿ＳＵＭ）が境界値（Ｉ１）以上となると、ＤＣ−ＤＣコンバータを一般的な正常モードで作動させ、充電または放電電流の絶対値の累積値（ＩＢ＿ＳＵＭ）が境界値（Ｉ１）以下の場合、ＤＣ−ＤＣコンバータがその出力電圧を大幅にまたは小幅に上昇させるモードで継続して作動されるようにする。
【００１９】
ここで、本発明のハイブリッド車両用１２Ｖバッテリーの充電電圧の制御方法についての別の実施例を図３の順序図に沿って説明する。
本発明の別の実施例は１２Ｖ補助バッテリーの充電状態（ＳＯＣ）によって１２Ｖ補助バッテリーの電圧が決定される点を勘案して、１２Ｖ補助バッテリーの充電状態によってＤＣ−ＤＣコンバータの出力電圧を増加または減少させる１２Ｖ補助バッテリーの充電電圧の制御方法である。１２Ｖ補助バッテリーの充電状態が良好ならば、燃費の向上のためにＤＣ−ＤＣコンバータの出力電圧を低く維持し、１２Ｖ補助バッテリーの充電状態が不良ならば、燃費低下を感受し、ＤＣ−ＤＣコンバータの出力電圧を高く維持して、１２Ｖ補助バッテリーに対する充電性能の向上を図ろうとしたものである。
更に、本発明の別の実施例は多数の電装負荷のうち１２Ｖ補助バッテリーにかかっている電装負荷が少ない場合、ＤＣ−ＤＣコンバータの出力電圧を高く制御しても負荷消耗量の上昇分が少ない点を利用して、ＤＣ−ＤＣコンバータを１２Ｖ補助バッテリーの充電性能向上モードで作動されるようにし、１２Ｖ補助バッテリーに電装負荷が多くかかっている場合は、ＤＣ−ＤＣコンバータの出力電圧を低く制御して燃費向上モードで動作されるようにした点にまた別の特徴がある。
【００２０】
まず、始動スイッチをオンにした後、１２Ｖ電装負荷量、即ち、多数または少数の電装負荷が作動されるかを判定し、１２Ｖ電装負荷量を基準負荷値（Ｌ１）と比較する。
比較の結果、１２Ｖ電装負荷量が基準負荷値（Ｌ１）より小さいとき、ＤＣ−ＤＣコンバータの出力電圧を上昇させて１２Ｖ補助バッテリーに対する充電が容易に行われるようにした充電モード、即ち、１２Ｖ補助バッテリーの充電性能向上モードで作動が行われる。
１２Ｖ電装負荷量が基準負荷値（Ｌ１）より小さい場合、ＤＣ−ＤＣコンバータの出力電圧を高めても電装負荷量の増大が相対的に小さく、電装負荷量は電圧に比例するため、１２Ｖ補助バッテリーの充電が有利に行われる。
１２Ｖ電装負荷量が基準負荷値（Ｌ１）より大きいとき、１２Ｖバッテリーの充電状態（ＳＯＣ＿Ａ）を確認して、１２Ｖバッテリーの充電状態（ＳＯＣ＿Ａ）が充電境界値（Ｓ１）以下ならば、１２Ｖ補助バッテリーの充電性能向上モードでＤＣ−ＤＣコンバータを作動し、反対に１２Ｖバッテリーの充電状態（ＳＯＣ＿Ａ）が充電境界値（Ｓ１）以上ならば、ＤＣ−ＤＣコンバータの出力電圧を下降させてＤＣ−ＤＣコンバータの出力電圧を節約する燃費向上モードでＤＣ−ＤＣコンバータを作動する。
即ち、１２Ｖ電装負荷量が基準負荷値（Ｌ１）より大きいことは、多数の電装負荷が作動されていることを意味するため、ＤＣ−ＤＣコンバータの出力電圧を下げて電装負荷での消耗エネルギーを可能な限り小さくするためのものである。
【００２１】
ここで、本発明のハイブリッド車両用１２Ｖバッテリーの充電電圧の制御方法に対するまた別の実施例を図４の順序図に沿って説明する。
１２Ｖ補助バッテリーが９Ｖ以下に落ちた場合、図１に示すとおり、メインスイッチ３がオンにならずＤＣ−ＤＣコンバータ１が高電圧バッテリー２の電源を使用できないという状態がもたらされ、このような点を勘案して本発明のまた別の実施例は、１２Ｖ補助バッテリーでメインスイッチに動作可能な９Ｖ以上の電圧を印加することができるように１２Ｖ補助バッテリーに瞬間的な高電圧を提供して充電が行われるようにした点に特徴がある。
即ち、ＤＣ−ＤＣコンバータが１２Ｖ補助バッテリー側で高電圧側のコンデンサ（高電圧バッテリーと連結された電圧コンバータとインバータ間に連結されたＤＣリンクコンデンサ）に逆方向の電力変換を実施して、１２Ｖ補助バッテリー側のエネルギーが高電圧側のコンデンサに充電されるようにするが、高電圧側のコンデンサにはあらかじめ蓄電されたエネルギーに更に多くのエネルギーが充電された状態となるようにした後、反対にＤＣ−ＤＣコンバータが高電圧側のコンデンサから１２Ｖ補助バッテリー側に高電圧（約１４Ｖ）のエネルギーが供給されるようにすることで、補助バッテリーはメインスイッチに動作可能な９Ｖ以上の電圧を印加する。
【００２２】
まず、始動をオンにした後、１２Ｖ補助バッテリーの電圧（Ｖｂ）を高電圧バッテリーとＤＣ−ＤＣコンバータ間を連結するメインスイッチ（リレー）及び各種制御装置の動作のための下限電圧（Ｖ１）と比較して、１２Ｖ補助バッテリーの電圧（Ｖｂ）が下限電圧（Ｖ１）以下である場合（例えば、１２Ｖ補助バッテリーが９Ｖ以下に落ちた場合）、ＤＣ−ＤＣコンバータの逆方向への電力変換が行われる。
このとき、ＤＣ−ＤＣコンバータの逆方向への電力変換に依拠して、１２Ｖ補助バッテリーから高電圧側のコンデンサ（例えば、ＤＣリンクコンデンサまたはＤＣ−ＤＣコンバータの入力端コンデンサ）側にエネルギーが伝達されて、高電圧側のコンデンサにはあらかじめ蓄電されたエネルギーに更に多くのエネルギーが充電された状態となる。
次いで、ＤＣ−ＤＣコンバータ正方向への電力変換が所定の短い時間の間行われるようにすることで、高電圧側のコンデンサの高電圧エネルギー（約１４Ｖ）がＤＣ−ＤＣコンバータを通して１２Ｖ補助バッテリーに供給されて充電される。
【００２３】
このように、エネルギーを相対的に長い時間の間逆方向に充電した後、短い時間の間正方向に伝達すると電圧が上昇するという原理に従って、１２Ｖ補助バッテリーに対する瞬間的な正常充電が行われて、結局１２Ｖ補助バッテリーによる９Ｖ以上の電圧が各種制御装置及びメインスイッチに印加されてメインスイッチがオンとなる。
従って、ＤＣ−ＤＣコンバータはメインスイッチのオンにより高電圧バッテリーを電源として正常作動をし、１２Ｖ補助バッテリーに充電のための安定的な電圧を提供する。
【符号の説明】
【００２４】
１  ＤＣ−ＤＣコンバータ
２  高電圧バッテリー
３  メインスイッチ
４  電装負荷
５、７  配線（寄生）抵抗
６  接続箱
８  １２Ｖ補助バッテリー
１０、１２  インバータ
１４  電圧コンバータ
１６  ＤＣリンクコンデンサ
【図１】
2011116330.tif 000003
【図２】
2011116330.tif 000004
【図３】
2011116330.tif 000005
【図４】
2011116330.tif 000006
【図５】
2011116330.tif 000007